(57)【要約】【課題】入浴者を常にミストサウナ浴に好適な位置に配置させることにより、安全かつ快適なミストサウナ浴を実現するミストサウナ室を提供することにある。【解決手段】温水をミストにして噴射する噴射口を有するミスト発生装置を備えるミストサウナ室であって、前記噴射口から噴射されるミストが通過可能で、かつ噴射口側に使用者が近づくことを防止するやけど防止用隔壁部材を備え、このやけど防止用隔壁部材が、使用者が横臥可能な寝台形状、若しくは着座可能な椅子形状をしていることを特徴とする。【選択図】図３
2008220564.tif 000002
【特許請求の範囲】
【請求項１】
温水をミストにして噴射する噴射口を有するミスト発生装置を備えるミストサウナ室であって、前記噴射口から噴射されるミストが通過可能で、かつ噴射口側に使用者が近づくことを防止するやけど防止用隔壁部材を備え、このやけど防止用隔壁部材が、使用者が横臥可能な寝台形状、若しくは着座可能な椅子形状をしていることを特徴とするミストサウナ室。
【発明の詳細な説明】
【技術分野】
【０００１】
本発明は、加熱された水をミストにして噴射する噴射口を有するミスト発生装置を室内に備えるミストサウナ室に関するものである。
【背景技術】
【０００２】
従来、サウナの発汗作用を得るため、ミスト発生装置を浴室やシャワー室の室内に設置してなるミストサウナ室が提案されている。このようなミストサウナ室は、複数個の噴射口を有する温水供給管を浴室等の室内の壁や天井などに配備し、ノズル配管に供給された温水を噴霧ノズルから温水ミストとして噴出させることにより、浴室等の室内空間をサウナに適した温度まで上昇させ、サウナ空間を形成する。
【０００３】
この際、浴室等の室内空間をサウナに適した４０〜４３℃以上に均一に上昇させるためには、温水ミストの噴出開始から、かなりの時間が必要となる。そこで、短時間でサウナの発汗効果を得るために、温水ミストを直接浴びるようにしたミストサウナ室が提案されている（例えば、特許文献１参照）。
温水ミストを直接浴びるようにしたミストサウナ室の場合、身体に浴びる時点での温水ミストが４０〜４３℃前後となるように、一般的な家庭用浴室の場合、噴射口から噴射される温水ミストの温度は６０℃前後に設定されていることが多い。
したがって、使用者は、噴射口に接近しすぎた場合、高温の温水ミストを浴びてしまう恐れがあるし、逆に、噴射口から離れすぎた場合、適温より低い温度のミストを浴びて身体を冷やしてしまう恐れがある。
また、ミスト噴射後の高熱の温水供給管や噴射口に誤って触れないように、ミスト噴射後は、噴射口近傍をカバー部材で閉塞するようにしたミスト発生装置が提案されている（例えば、特許文献２参照）。
しかしながら、上記ミスト発生装置は、温水ミストを噴射するときは、カバー部材を開けて噴射口を露出する構造であるため、ミスト噴射中に、使用者が噴射口に接近したり触れたりするのを防止することはできない。
【特許文献１】特開平９−２５３１５２
【特許文献２】特開平９−１５４９１３
【発明の開示】
【発明が解決しようとする課題】
【０００４】
本発明は、上記問題点に鑑みてなされたものであって、入浴者を常にミストサウナ浴に好適な位置に配置させることにより、安全かつ快適なミストサウナ浴を実現するミストサウナ室を提供することにある。
【課題を解決するための手段】
【０００５】
上記課題を解決するために、請求項１記載の発明は、温水をミストにして噴射する噴射口を有するミスト発生装置を備えるミストサウナ室であって、前記噴射口から噴射されるミストが通過可能で、かつ噴射口側に使用者が近づくことを防止するやけど防止用隔壁部材を備え、このやけど防止用隔壁部材が、使用者が横臥可能な寝台形状、若しくは着座可能な椅子形状をしていることを特徴とする。
【発明の効果】
【０００６】
請求項１記載の発明は、温水をミストにして噴射する噴射口を有するミスト発生装置を備えるミストサウナ室であって、前記噴射口から噴射されるミストが通過可能で、かつ噴射口側に使用者が近づくことを防止するやけど防止用隔壁部材を備え、このやけど防止用隔壁部材が、使用者が横臥可能な寝台形状、若しくは着座可能な椅子形状をしているので、使用者が、寝台形状のやけど防止用隔壁部材に横たわったり、椅子形状のやけど防止用隔壁部材に着座するだけで、使用者をミストサウナ浴に最適な位置に留めさせることができる。したがって、使用者がミスト発生装置の噴射口側に接近しすぎるのを防止できる上、ミスト発生装置の噴射口から離れすぎて、適温よりも低温のミストを浴びてしまうことも防止でき、安全かつ快適にミストサウナ浴をすることができる。
そして、やけど防止用隔壁部材が寝台形状である場合には、使用者は身体に力を入れずに非常にリラックスした状態でミストサウナ浴をすることができる。
また、やけど防止用隔壁部材が椅子形状である場合には、寝台形状である場合に比べて、使用者の着座動作や立ち上がり動作がしやすい上、やけど防止用隔壁部材の全長を短くすることができ、比較的狭い室内にも設置しやすいという利点もある。
【発明を実施するための最良の形態】
【０００７】
以下、本発明にかかるミストサウナ室の一実施形態について、図面に基づいて詳細に説明する。
本実施形態のミストサウナ室１ａは、図１，図２に示すように、床面Ｌに設置されたミスト発生装置２と、ミスト発生装置２の上方に、ミスト発生装置２から所定間隔をあけて配置されるやけど防止用隔壁部材としてのベッド３とを備えている。
ミスト発生装置２は、ベッド３の長さ方向に延びる温水供給管２１と、温水供給管２１の長さ方向に所定間隔で配設される噴射口２２とを備えている。温水供給管２１は、ベッド３の幅方向に所定間隔で平行に配置されており、噴射口２２は、床面Ｌと反対方向、つまりベッド３側に向けて配備されている。
ベッド３は、スノコ状に形成された寝台部３１と、寝台部３１を床面Ｌから所定の高さに支持する支持脚３２とを備えている。寝台部３１は、木製のスノコ構成材３１０を所定間隔で多数並べて形成されている。隣接するスノコ構成材３１０同士の隙間ｋは、噴射口２２から噴射されるミストを通過可能な程度であればよいが、寝心地のよさを維持しつつ、ミストを好適に通過させるためには、２０ｍｍ程度が好適である。
【０００８】
本実施形態のミストサウナ室１ａを使用する場合には、図３に示すように、ベッド３の寝台部３１の上面に横たわり、ミスト発生装置２を作動させ、噴射口２２からミストを噴射させる。噴射口２２は、床面Ｌから寝台部３１に向けて配備されているため、噴射口２２から高温で噴出されたミストが、放熱しながら寝台部３１のスノコ構成材３１０の隙間ｋを通過して適温となった時点で人体Ｐに当接する。
ここで、人体Ｐに当接したときのミストの適温とは、やけどをしない温度であればよいが、好ましくは３６℃〜５０℃の範囲、より好ましくは体温よりもやや高い温度である３８℃〜４３℃の範囲である。３６℃未満であると、体温よりも低くなるため温かさが感じられないし、５０℃を超えると熱すぎてやけどをする恐れがあるからである。
【０００９】
以上詳述したように、本実施形態のミストサウナ室１ａによれば、ミスト発生装置２が、噴射口２２を上側に向けた状態で床面Ｌに設置され、床面Ｌから所定の高さにミストを通過可能な寝台部３１を備えたベッド３が設置されていて、寝台部３１に使用者が横たわった状態で、ミスト発生装置２の噴射口２２からミストを噴射させるため、ミスト発生装置２から使用者までの距離を一定にすることができる。その結果、使用者が、ミスト発生装置２の噴射口２２側に近づきすぎて、高温のミストを浴びてしまったり、ミスト発生装置２の噴射口２２から離れすぎて、適温よりも低温のミストを浴びてしまうのを確実に防止でき、最適な温度で、安全かつ快適にミストサウナ浴をすることができる。
【００１０】
次に、本発明にかかる第２の実施形態のミストサウナ室１ｂについて、図面に基づいて詳細に説明する。
本実施形態のミストサウナ室１ｂは、基本的には、上記第１の実施形態のミストサウナ室１ａと同様の構成であるため、同一構成部分については同一符号で表し、詳細な説明を省略する。
本実施形態のミストサウナ室１ｂは、図４，図５に示すように、ミスト発生装置２の上方に配置されるベッド３の寝台部３３が、金属製のメッシュ材で構成されていて、側面視において、横臥状態における人体形状に沿ったゆるやかなＳ字曲線形状に形成されている。
そして、本実施形態のミストサウナ室１ｂを使用する場合には、図６に示すように、ベッド３の寝台部３３の上面に横たわり、ミスト発生装置２を作動させ、噴射口２２からミストを噴射させる。噴射口２２は、床面Ｌから寝台部３３に向けて配備されているため、噴射口２２から高温で噴出されたミストが、放熱しながら寝台部３３の網目部分を通過して、適温となった時点で人体Ｐに当接する。
【００１１】
したがって、本実施形態のミストサウナ室１ｂによれば、上記第１の実施形態と同様に、使用者が、ミスト発生装置２の噴射口２２側に近づきすぎて、高温のミストを浴びてしまったり、ミスト発生装置２の噴射口２２から離れすぎて、適温よりも低温のミストを浴びてしまったりすることを確実に防止でき、最適な温度で、安全かつ快適にミストサウナ浴をすることができる。
また、寝台部３３をメッシュ材で構成することにより、第１の実施形態のようにスノコ状に形成した場合に比べて、ミストが寝台部３３の全面において均一に通過するため、寝台部３３に横たわった使用者の身体全体に均一にミストを当接させることができる。
さらに、寝台部３３が、人体形状に沿ったゆるやかなＳ字曲線形状に形成されているので、図６に示すように、使用者が横たわったときに、寝台部３３の人体へのフィット感がよいため、寝心地がよく、より快適にミストサウナ浴をすることができる。
【００１２】
次に、本発明にかかる第３の実施形態のミストサウナ室１ｃについて、図面に基づいて詳細に説明する。
本実施形態のミストサウナ室１ｃは、第２の実施形態の変形例であるので、同一構成部分については同一符号で表し、詳細な説明を省略する。
本実施形態のミストサウナ室１ｃは、図７，図８に示すように、床面Ｌに設置されたミスト発生装置２と、ミスト発生装置２の上方に、ミスト発生装置２から所定間隔をあけて配置されるやけど防止用隔壁部材としての寝椅子４とを備えている。
寝椅子４は、着座部４１と、着座部４１を支持する支持部４２と、手すり部４３とを備えている。着座部４１は、金属製のメッシュ材で構成されていて、側面視において、着座状態における人体形状に沿ったゆるやかな曲線形状に形成されている。
ミスト発生装置２は、図８に示すように、噴射口２２から噴射されたミストが、着座部４１の上面に到達したときに、着座部４１のどの位置においても適温となるように、着座部４１の下方に、着座部４１の曲線形状に沿って略平行に設けられている。
【００１３】
したがって、本実施形態のミストサウナ室１ｃによれば、使用者が、ミスト発生装置２の噴射口２２側に近づきすぎて、高温のミストを浴びてしまったり、ミスト発生装置２の噴射口２２から離れすぎて、適温よりも低温のミストを浴びてしまったりすることを確実に防止でき、最適な温度で快適にミストサウナ浴をすることができる。
また、着座部４１をメッシュ材で構成することにより、第１の実施形態のようにスノコ状に形成した場合に比べて、ミストが寝台部３１の全面において均一に通過するため、寝台部３１に横たわった使用者の身体全体に均一にミストを当接させることができる。
さらに、寝椅子４は、ベッド３に比べて全長が短くなるので、比較的狭い室内にも設置しやすい。
その上、図９に示すように、使用者の身体が完全に横にならないため、ベッドの場合に比べて、使用者の着座動作や立ち上がり動作が容易であり、高齢者や身体の不自由な人であっても使用しやすいという利点もある。
【００１４】
さらに、図１０に示すミストサウナ室１ｄのように、やけど防止用隔壁部材が、背もたれ部分が座面に対してほぼ直角に配置された椅子５であっても構わない。椅子５は、寝椅子４よりもさらに全長が短いため、さらに狭い室内であっても設置できる。その上、図１０に示すように、使用者は上半身を起こした状態で着座しているので、ベッド３や寝椅子４に比べて、使用者の着座動作や立ち上がり動作がさらに容易である。
【００１５】
次に、本発明にかかる第５の実施形態のミストサウナ室１ｅについて、図面に基づいて詳細に説明する。
本実施形態のミストサウナ室１ｅは、第３の実施形態の変形例であるので、同一構成部分については同一符号で表し、詳細な説明を省略する。
本実施形態のミストサウナ室１ｅは、図１１，図１２に示すように、床面Ｌに設置されたミスト発生装置２と、ミスト発生装置２の上方に、ミスト発生装置２から所定間隔をあけて配置されるやけど防止用隔壁部材としての椅子４とを備えている。
本実施形態のミストサウナ室１ｅは、図１３に示すように、ミスト発生装置２の噴射口２２から着座部４１までの距離が、身体の各部位によって大きく異なっている。例えば、噴射口２２から使用者の頭部までの距離Ｈ１は、噴射口２２から使用者の臀部までの距離Ｈ２に対して約２倍となっている。そこで、本実施形態では、各噴射口２２から着座部４１の上面までの距離にかかわらず、噴射口２２から噴射されたミストが、着座部４１の上面に到達したときに適温となるように、足元側の噴射口２２から噴射されるミストの温度に比べて、頭部側の噴射口２２から噴射されるミストの温度が高くなるように制御している。
したがって、本実施形態のミストサウナ室１ｅによれば、ミスト発生装置２を床面Ｌに沿って設置するだけでよく、容易に施工できる。
【００１６】
なお、スノコ構成材３１０の材質は、木材に限られず、合成樹脂や金属などで形成されていても構わない。スノコ構成材３１０を木材で形成する場合において、木材の種類は、特に限定されず、例えば、ヒノキ、スギなどが挙げられる。また、スノコ構成材３１０を合成樹脂で形成する場合において、合成樹脂の種類は、特に限定されず、例えば、ＡＢＳ樹脂などが挙げられる。
【００１７】
また、スノコ構成材３１０を合成樹脂で形成する場合における成形方法については、特に限定されないが、押出成形が好ましい。また、スノコ構成材３１０を金属で形成する場合には、錆の発生しにくいステンレス鋼やアルミニウムなどが好ましい。また、スノコ構成材３１０を金属で形成する場合には、軽量化を図るため、中空パイプまたは断面コの字状に形成することが好ましい。
【００１８】
また、メッシュ材の材質は、金属に限られず、ポリエステルなどの合成繊維であってもよいし、竹や籐などを編んだものであっても構わない。
【図面の簡単な説明】
【００１９】
【図１】本発明にかかる第１の実施形態のミストサウナ室１ａの平面図である。
【図２】図１に示すミストサウナ室１ａの正面図である。
【図３】図１に示すミストサウナ室１ａの使用状態を示す説明図である。
【図４】本発明にかかる第２の実施形態のミストサウナ室１ｂの平面図である。
【図５】図４に示すミストサウナ室１ｂの正面図である。
【図６】図４に示すミストサウナ室１ｂの使用状態を示す説明図である。
【図７】本発明にかかる第３の実施形態のミストサウナ室１ｃの平面図である。
【図８】図７に示すミストサウナ室１ｃの正面図である。
【図９】図７に示すミストサウナ室１ｃの使用状態を示す説明図である。
【図１０】本発明にかかる第３の実施形態のミストサウナ室１ｄの使用状態を示す説明図である。
【図１１】本発明にかかる第４の実施形態のミストサウナ室１ｅの平面図である。
【図１２】図１１に示すミストサウナ室１ｅの正面図である。
【図１３】図１１に示すミストサウナ室１ｅの使用状態を示す説明図である。
【符号の説明】
【００２０】
１ａ〜１ｅ  ミストサウナ室
２          ミスト発生装置
２２        噴射口
３          ベッド（やけど防止用隔壁部材）
４          寝椅子（やけど防止用隔壁部材）
５          椅子（やけど防止用隔壁部材）
【図１】
2008220564.tif 000003
【図２】
2008220564.tif 000004
【図３】
2008220564.tif 000005
【図４】
2008220564.tif 000006
【図５】
2008220564.tif 000007
【図６】
2008220564.tif 000008
【図７】
2008220564.tif 000009
【図８】
2008220564.tif 000010
【図９】
2008220564.tif 000011
【図１０】
2008220564.tif 000012
【図１１】
2008220564.tif 000013
【図１２】
2008220564.tif 000014
【図１３】
2008220564.tif 000015